(57)【要約】【課題】フラットベッドスキャナ（以下、ＦＢＳと言う）式の原稿読取部を備えた通信端末装置に係り、読み取り前の原稿の有無や原稿読取の終了後に原稿置き忘れを報知する通信端末装置を提供する。【解決手段】原稿読取部１は原稿有無を検出するセンサ２と原稿蓋Ａの開閉を検出するセンサ３とを備え、原稿台１ａに原稿がセットされていないと判断したときや原稿台１ａにセットされた原稿の読取終了後の所定時間経過後に、これらのセンサにより原稿台１ａから原稿が除去されていないと判断したときには、それらを報知させる信号処理部を備える。【選択図】図２
2004193935.tif 000002
【特許請求の範囲】
【請求項１】
ファクシミリ通信部と、原稿台上にセットされた原稿を読み取る原稿読取部とを備え、上記原稿台上で読み取られた画情報を上記ファクシミリ通信部よりファクシミリ送信する機能を有する通信端末装置において、
上記原稿読取部は原稿台上の原稿有無を検出するセンサと原稿蓋の開閉を検出するセンサとを備え、
原稿台上にセットされた原稿の読取終了後所定時間経過しても、上記原稿有無センサが原稿有と判断し且つ原稿蓋が開けられず上記原稿蓋開閉センサが閉を検出している場合、原稿置き忘れである旨の報知をさせる信号処理部を備えたことを特徴とする通信端末装置。
【請求項２】
外部情報端末接続部と、原稿台上にセットされた原稿を読み取る原稿読取部とを備え、上記原稿台上で読み取られた画情報を外部情報端末接続部より外部情報端末に送出する機能を有する通信端末装置において、
上記原稿読取部は原稿台上の原稿有無を検出するセンサと原稿蓋の開閉を検出するセンサとを備え、
原稿台上にセットされた原稿の読取終了後所定時間経過しても、上記原稿有無センサが原稿有と判断し且つ原稿蓋が開けられず上記原稿蓋開閉センサが閉を検出している場合、原稿置き忘れである旨の報知をさせる信号処理部を備えたことを特徴とする通信端末装置。
【請求項３】
請求項１又は２において、
上記信号処理部によって出力される報知手段は、音声出力部における警報音、表示部における文字メッセージ、あるいはこれらの双方でなされ、操作部には上記警告音を選択できる釦を備えていることを特徴とする通信端末装置。
【発明の詳細な説明】
【０００１】
【発明の属する技術分野】
本発明は、フラットベッドスキャナ（以下、ＦＢＳと言う）式の原稿読取部を備えた通信端末装置に係り、更に詳しくは原稿読取の終了後に原稿台上の原稿の置き忘れを報知する機能を備えた通信端末装置の改良に関する。
【０００２】
【従来の技術】
上記ＦＢＳ式原稿読取部は、原稿台上に原稿を置き、原稿蓋を閉じた状態で、スキャナを走査させることによって原稿画像を読み取るものである。このスキャナ走査は、原稿台固定・スキャナ移動方式のものと、スキャナ固定・原稿台移動方式のものがある。従来より、上記ＦＢＳ式原稿読取部を備えたコピー機等では、読取済みの原稿を置き忘れる不都合を解決するために、原稿読取動作終了後に原稿台にセットした原稿が一定時間放置された場合、警告音や表示によって原稿の置き忘れを報知する機能をもつものがあった。たとえば特許文献１には、コピー終了後所定時間経過後に原稿蓋を開けないでいる場合に原稿置き忘れの警告を発生する警告装置が開示されている。
【０００３】
【特許文献１】
特開昭５３−１３２３５０号公報
【発明が解決しようとする課題】
ところが、上記のような警告機能はコピー機に適用されたものであり、ファクシミリ送信機能や外部情報端末に送出する機能を備えた通信端末装置において原稿台上の原稿置き忘れを報知するものではなかった。ファクシミリ送信や外部情報端末に送出する為原稿を読み取らせる場合、原稿台上に原稿をセットし通信釦を操作すれば、その目的を果たすことができ、コピー操作のようにコピー紙の排出を待たなくて良いから、つい釦操作をすればその場を離れてしまうことが往々にしてある。特に、原稿蓋を閉じて原稿読取を行うから、原稿が目に入らず、原稿台上に原稿を置き忘れたままにしてしまうことが多々ある。
【０００４】
本発明は、上記事情を考慮してなされたものであり、ＦＢＳで読取った原稿画像をファクシミリ通信や外部情報端末へ送出する場合でも、原稿読取の終了後に原稿置き忘れを報知する機能を備えた通信端末装置を提供することを目的としている。
【０００５】
【課題を解決するための手段】
上記目的を達成するために、本発明の請求項１に記載の通信端末装置は、ファクシミリ通信部と、原稿台上にセットされた原稿を読み取る原稿読取部とを備え、上記原稿台上で読み取られた画情報を上記ファクシミリ通信部よりファクシミリ送信する機能を有する通信端末装置において、上記原稿読取部は原稿台上の原稿有無を検出するセンサと原稿蓋の開閉を検出するセンサとを備え、原稿台上にセットされた原稿の読取終了後所定時間経過しても、上記原稿有無センサが原稿有と判断し且つ原稿蓋が開けられず上記原稿蓋開閉センサが閉を検出している場合、原稿置き忘れである旨の報知をさせる信号処理部を備えている。
【０００６】
請求項２に記載の通信端末装置は、外部情報端末接続部と、原稿台上にセットされた原稿を読み取る原稿読取部とを備え、上記原稿台上で読み取られた画情報を外部情報端末接続部より外部情報端末に送出する機能を有する通信端末装置において、上記原稿読取部は原稿台上の原稿有無を検出するセンサと原稿蓋の開閉を検出するセンサとを備え、原稿台上にセットされた原稿の読取終了後所定時間経過しても、上記原稿有無センサが原稿有と判断し且つ原稿蓋が開けられず上記原稿蓋開閉センサが閉を検出している場合、原稿置き忘れである旨の報知をさせる信号処理部を備えている。
【０００７】
請求項３に記載の通信端末装置は、請求項１又は２において、上記信号処理部によって出力される置き忘れ報知は、音声出力部における警報音、表示部における文字メッセージ、あるいはこれらの双方でなされ、操作部には上記警告音を選択できる釦を備えていることを特徴とする。
【０００８】
【発明の実施の形態】
以下に、本発明の実施の形態について、図面とともに説明する。図１は、本発明のファクシミリ通信機能や外部情報端末送出機能を備えた通信端末装置に採用される原稿読取装置Ｆの一例である。この原稿読取装置Ｆは、自動原稿送り装置（ＡＤＦ）の機能とフラットベッドスキャナ（ＦＢＳ）の機能とを持っているものである。本発明の報知機能はフラットベッドスキャナ（ＦＢＳ）により、原稿を読取る場合に適用されるものである。
【０００９】
図１（ａ）は原稿読取装置Ｆの概略正面図、同（ｂ）は側面図、同（ｃ）は原稿蓋開閉検出センサ部分の拡大正面図である。１は上面がガラス板から成る原稿台１ａとされた原稿読取部本体、Ａは原稿台１ａ上に置かれた原稿を押圧すべく原稿読取部本体１の側辺に開閉自在に取付けられた原稿蓋、Ｓは蛍光灯等による光源（不図示）とＣＣＤ（不図示）とをユニット化した走査体である。また、２は原稿台１ａ上の原稿有無を検出する原稿有無検出センサ、３は原稿蓋Ａの開閉状態を検出する原稿蓋開閉検出センサである。
【００１０】
上記走査体Ｓは、光源からの光を原稿に照射し、その反射光をＣＣＤに受光させて電気信号としての画情報に変換するものである。原稿台１ａ上に置かれたＦＢＳ原稿Ｄ１を走査する場合、走査体Ｓは、待機位置Ｐ１からＰ２位置へ原稿台１ａの下面を平行に走行し、その間原稿Ｄ１の画情報を読み取る。また、ＡＤＦ原稿Ｄ２を走査する場合、走査体ＳがＰ３位置に移行してこの位置で静止し、ＡＤＦトレイＴ上に置かれたＡＤＦ原稿Ｄ２が給送ローラＲにより矢印のように給送される間、その画情報が読み取られる。
【００１１】
原稿蓋開閉検出センサ３は、原稿蓋Ａ内に設置された発光素子３ａ及び受光素子３ｂと、原稿読取部本体１上に設置された板状のセンサフィラー３ｃとよりなる。これらの設置位置は逆でもよい。原稿蓋Ａが閉じられると発光素子３ａからの照射光はセンサフィラー３ｃにより遮断されるから受光素子３ｂは受光せず、これにより原稿蓋Ａが閉じられていることが検出される。また、原稿蓋Ａが開けられると発光素子３ａからの照射光はセンサフィラー３ｃにより遮断されず、受光素子３ｂは照射光を受光し、これにより原稿蓋Ａが開けられたことが検出される。図１（ｂ）（ｃ）は原稿蓋Ａが開いた状態を示す。
【００１２】
原稿有無検出センサ２は、原稿台１ａの側部等に設置されるもので、反射式、受光式或いはリミットスイッチ等公知のセンサが採用される。また、上記走査体Ｓを原稿台１ａに沿って走行させ、この走査情報によって原稿有無を検出することで代用させることも可能である。
【００１３】
図２は、本発明の通信端末装置の内部構成の一例を示すブロック図である。なお、ここでは、通信端末装置としてファクシミリ通信機能や外部情報端末への送出機能を備えたものを示しているが、本発明はこれには限られず、コピー機能をも備えたものとすることもできる。
【００１４】
この通信端末装置において、１はセットされた原稿から画像データを読み取る原稿読取部で、４は画像液晶ディスプレイなどで構成される表示部、５は各種キーなどで構成された操作部と、６は画像データの符号化、復号をするコーデック、７は警告音や音声メッセージなどを出力するための音出力部、８は信号線Ｎ（通信ケーブル）を介してパソコンなどの外部情報端末を接続し、その外部情報端末との間で信号を伝送するための外部インタフェース部、９はＣＰＵ等で構成され、各部を制御する主制御部、１０は電話回線Ｌにダイヤル信号を送出しり、電話回線Ｌに対する接続制御を行うＮＣＵ、１１はファクシミリ通信を行うために信号の変調と復調を行うモデム、１２は符号化した画像データを一時格納する画像メモリ、１３は各種データを記憶するためのＲＡＭ、１４は制御プログラムなどを予め記憶したＲＯＭ、１５は原稿から画像データを読み取り、画像データに変換するスキャナである。
【００１５】
原稿読取部１には、少なくとも原稿有無を検出する原稿有無検出センサ２と原稿蓋の開閉を検出する原稿蓋開閉検出センサ３とを備えている。ここで原稿有無検出センサ２によれば、原稿を読み取る前にも原稿の有無を検出でき、原稿蓋開閉検出センサ３は、原稿の有無を原稿蓋の開閉で検知しようというものである。主制御部１は、原稿の読取終了後に所定時間を計時するタイマ部（不図示）と原稿の置き忘れを報知させる信号処理部（不図示）とを制御し、その判別結果を文字メッセージなどで表示部４に表示させたり、音出力部７により警告音などを出力させる。したがって、この場合表示部４と音出力部７との各々は、原稿を原稿台に置き忘れていることを報知する報知手段を構成する。なお、報知手段はどちらかだけでもよいし、双方なされてもよい。ここで、操作部５に警報音を禁止させる設定キー（不図示）や警報音の音色を選べる選択キー５ａを設けてもよい。これによれば、その場の状況に応じて警報音を止めることができ、警報音の音色を容易に選択することもできる。警報音はたとえばアラーム音やオルゴール音、楽曲等でもよいし、音声メッセージでもよい。また警告音をアラーム音等にする場合、何秒間鳴動させるか選択することができるようにしてもよい。なお、外部インタフェース部８は、外部情報端末との間で無線通信をする構成であってもよい。
【００１６】
次に、図３に上記動作をフローチャート（１００〜１１２）で示す。
【００１７】
原稿読取部１の原稿台１ａに原稿をセットし、スタートキー５ｂを押下し（１００）、原稿有無センサ２が原稿有と判断すると（１０１）、原稿読取が開始される（１０２）。一方、ステップ１０１で原稿が無しと判断されると音出力部７のスピーカより警報音が出力され（１１１）、表示部４には「原稿なし」等の文字メッセージが表示される（１１２）。この原稿有無検出センサ２によれば、原稿を読み取る前に原稿の有無を報知し、その信号を受けた主制御部９は原稿読取部１が動作させず、ファクシミリ送信や外部情報端末への送出を停止するため、誤操作をしても相手先に白紙の原稿やデータのない情報が届くことを防ぐことができる。その間、原稿がセットされてないと気付き、報知を操作部５で解除すると待機画面表示になる（１１０）。
【００１８】
次いで、原稿有りと感知した場合は（１０１）原稿読取を開始し（１０２）、読取が終了すると（１０３）タイマ部が起動し（１０４）、所定時間を計時し始める。この所定時間は、ユーザ側で変更できるよう設定してもよい。所定時間を計時している間、原稿蓋Ａの開が検出されると（１０５）原稿台１ａ上の原稿が取り去られたと判断し待機画面表示になる（１０９）。原稿蓋Ａの開が検出されないままタイムアップすると（１０６）、原稿を置き忘れていると判断し、音出力部７のスピーカより警報音が出力され（１０７）、表示部４には「原稿が残っています」等の文字メッセージが表示される（１０８）。これにより、原稿を原稿台１ａに置き忘れることを防止できる。これらの報知より原稿の置き忘れに気付いて原稿蓋が開けられると（１０９）、原稿が除去されたと判断し待機画面表示になる（１１０）。
【００１９】
また、外部情報端末部を備えたスキャナの場合は、タイマ部の起動開始時期を原稿読取が終了後、もしくは外部情報端末に読取原稿を送出した後から計時し始めるようにしてもよいし、双方なされるよう設定してもよい。
【００２０】
【発明の効果】
以上の説明からも理解できるように、本発明の請求項１から請求項３に記載の通信端末装置によれば、原稿をセットしていない状態で操作することがなくなり、ファクシミリ送信や外部情報端末部への送出時に、原稿読取後の原稿が置き忘れられている場合、報知することができるから、原稿の置き忘れを未然に防止し、後から使用する人に迷惑をかけることがない。特に、ＦＢＳ上に原稿を置き忘れたまま、後の人がＡＤＦで原稿を送信等しようとする場合、ＦＢＳ上の原稿画情報までも送信されてしまうと言ったトラブルも生じないのである。
【００２１】
また、請求項３によれば、原稿の有無や原稿の置き忘れを検知した場合、警報音や文字メッセージで報知することができる。これにより、ユーザは原稿セットのし忘れやそれによる誤操作を防止することができ、原稿の置き忘れに気付くことができる。また、警報音を用途やシーンにあわせて選択することができ、禁止することもできる。
【図面の簡単な説明】
【図１】本発明の通信端末装置に採用される原稿読取装置の一例を示す図である。
【図２】本発明の通信端末装置の基本構成の一例を示す図である。
【図３】本発明の通信端末装置の動作について説明するためのフローチャートである。
【符号の説明】
Ｆ  原稿読取装置
１  原稿読取部
２  原稿有無検出センサ
３  原稿蓋開閉検出センサ
３ａ発光素子
３ｂ受光素子
３ｃセンサフィラー
４  表示部
５  操作部
７  音出力部
【図１】
2004193935.tif 000003
【図２】
2004193935.tif 000004
【図３】
2004193935.tif 000005